【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
ノートブックソフトウェアアプリケーションユーザインターフェース上のビューからユーザインターフェース領域を保護するためのコンピュータ実装方法であって、
ノートブックアプリケーションユーザインターフェースを表示することであって、
あらかじめ定義されたメニューツールバーと、
ユーザ定義のメニューツールバーと、
ノートブック選択領域であって、現在のノートブックオプションおよび他のノートブックオプションのリストを含むノートブック選択領域と、
セクション選択領域であって、前記現在のノートブックオプションに関連付けられる現在のセクションオプション、および前記現在のノートブックオプションに関連付けられる他のセクションオプションのリストを含むセクション選択領域と、
ページ選択領域であって、前記現在のセクションオプションに関連付けられる現在のページオプション、および前記現在のセクションオプションに関連付けられる他のページオプションのリストを含むページ選択領域と、
前記現在のノートブックオプションの前記現在のセクションオプションの前記現在のページオプションに関連付けられる現在の選択を表示するためのコンテンツ表示領域とを含む、ノートブックアプリケーションユーザインターフェースを表示することと、
前記ノートブックアプリケーションユーザインターフェースに複数の保護モードを提供することであって、
第１保護モードの選択が受信されると、他のノートブックオプションの選択可能リストを隠すこと、他のセクションオプションの選択可能リストを隠すこと、他のページオプションの選択可能リストを隠すこと、前記あらかじめ定義されたメニューツールバーの表示を維持すること、前記ユーザ定義のメニューツールバーの表示を維持すること、前記現在のノートブックオプションの表示を維持すること、前記現在のセクションオプションの表示を維持すること、前記現在のページオプションの表示を維持すること、および前記現在の選択の表示を維持することが行われ、
第２保護モードの選択が受信されると、前記ノートブック選択領域を隠すこと、前記セクション選択領域を隠すこと、前記ページ選択領域を隠すこと、前記あらかじめ定義されたメニューツールバーの表示を維持すること、前記ユーザ定義のツールバーの表示を維持すること、および前記コンテンツ表示領域の表示を拡大することが行われ、
第３保護モードの選択が受信されると、前記あらかじめ定義されたメニューツールバーを隠すこと、前記ノートブックセクション領域を隠すこと、前記セクション選択領域を隠すこと、前記ページ選択領域を隠すこと、前記ユーザ定義のツールバーの表示を維持すること、および前記コンテンツ表示領域の表示を拡大することが行われる、複数の保護モードを提供することと、
を備えることを特徴とする方法。
【請求項２】
前記現在のノートブックオプションおよび他のノートブックオプションの前記リストはタブセレクタを含むことを特徴とする請求項１に記載のコンピュータ実装方法。
【請求項３】
前記現在のセクションオプションおよび他の選択オプションの前記リストはタブセレクタを含むことを特徴とする請求項１に記載のコンピュータ実装方法。
【請求項４】
前記現在のページオプションおよび他のページオプションの前記リストはタブセレクタを含むことを特徴とする請求項１に記載のコンピュータ実装方法。
【請求項５】
前記保護モードの選択は、ノートブックアプリケーションユーザインターフェースボタン、ホットキー、およびキーボードショートカットを含むグループのうちの少なくとも１つのメンバーによって受信されることを特徴とする請求項１に記載のコンピュータ実装方法。
【請求項６】
隠すことは、前記ノートブックアプリケーションユーザインターフェースから表示データを削除することを含むことを特徴とする請求項１に記載のコンピュータ実装方法。
【請求項７】
表示を維持することは、前記ノートブックアプリケーションユーザインターフェース上の表示データのビューを維持することを含むことを特徴とする請求項１に記載のコンピュータ実装方法。
【請求項８】
ソフトウェアアプリケーションユーザインターフェース上のビューからユーザインターフェース領域を保護するためのコンピュータ実行可能命令を有するコンピュータ可読記憶媒体であって、前記命令は、
アプリケーションユーザインターフェースを表示することであって、前記アプリケーションユーザインターフェースは、
あらかじめ定義されたメニューツールバーと、
ユーザ定義のメニューツールバーと、
選択領域であって、現在のファイルオプションおよび他のファイルオプションのリストを含む選択領域と、
セクション選択領域であって、前記現在のファイルオプションに関連付けられる現在のセクションオプション、および前記現在のファイルオプションに関連付けられる他のセクションオプションのリストを含むセクション選択領域と、
ページ選択領域であって、前記現在のセクションオプションに関連付けられる現在のページオプション、および前記現在のセクションオプションに関連付けられる他のページオプションのリストを含むページ選択領域と、
前記現在のファイルオプションの前記現在のセクションオプションの前記現在のページオプションに関連付けられる現在の選択を表示するためのコンテンツ表示領域とを含む、アプリケーションユーザインターフェースを表示することと、
前記アプリケーションユーザインターフェースに複数の保護モードを提供することであって、
第１保護モードの選択が受信されると、他のファイルオプションの選択可能リストを隠すこと、他のセクションオプションの選択可能リストを隠すこと、他のページオプションの選択可能リストを隠すこと、前記あらかじめ定義されたメニューツールバーの表示を維持すること、前記ユーザ定義のメニューツールバーの表示を維持すること、前記現在のファイルオプションの表示を維持すること、前記現在のセクションオプションの表示を維持すること、前記現在のページオプションの表示を維持すること、および前記現在の選択の表示を維持することが行われ、
第２保護モードの選択が受信されると、前記ファイル選択領域を隠すこと、前記セクション選択領域を隠すこと、前記ページ選択領域を隠すこと、前記あらかじめ定義されたメニューツールバーの表示を維持すること、前記ユーザ定義のツールバーの表示を維持すること、および前記コンテンツ表示領域の表示を拡大することが行われ、
第３保護モードの選択が受信されると、前記あらかじめ定義されたメニューツールバーを隠すこと、前記セクション領域を隠すこと、前記セクション選択領域を隠すこと、前記ページ選択領域を隠すこと、前記ユーザ定義のツールバーの表示を維持すること、および前記コンテンツ表示領域の表示を拡大することが行われる、複数の保護モードを提供することと、
を備えることを特徴とするコンピュータ可読記憶媒体。
【請求項９】
前記現在のファイルオプションおよび他のファイルオプションの前記リストはタブセレクタを含むことを特徴とする請求項８に記載のコンピュータ可読記憶媒体。
【請求項１０】
前記現在のセクションオプションおよび他の選択オプションの前記リストはタブセレクタを含むことを特徴とする請求項８に記載のコンピュータ可読記憶媒体。
【請求項１１】
前記現在のページオプションおよび他のページオプションの前記リストはタブセレクタを含むことを特徴とする請求項８に記載のコンピュータ可読記憶媒体。
【請求項１２】
前記保護モードの選択は、アプリケーションユーザインターフェースボタン、ホットキー、およびキーボードショートカットを含むグループのうちの少なくとも１つのメンバーによって受信されることを特徴とする請求項８に記載のコンピュータ可読記憶媒体。
【請求項１３】
隠すことは、前記アプリケーションユーザインターフェースから表示データを削除することを含むことを特徴とする請求項８に記載のコンピュータ可読記憶媒体。
【請求項１４】
表示を維持することは、前記アプリケーションユーザインターフェース上の表示データのビューを維持することを含むことを特徴とする請求項８に記載のコンピュータ可読記憶媒体。
【請求項１５】
ソフトウェアアプリケーションユーザインターフェース上のビューからユーザインターフェース領域を保護するためのシステムであって、
プロセッサと、
コンピュータ実行可能命令を格納するメモリであって、前記コンピュータ実行可能命令は、
アプリケーションユーザインターフェースを表示することであって、
あらかじめ定義されたメニューツールバーと、
ユーザ定義のメニューツールバーと、
選択領域であって、現在のファイルオプションおよび他のファイルオプションのリストを含む選択領域と、
セクション選択領域であって、前記現在のファイルオプションに関連付けられる現在のセクションオプション、および前記現在のファイルオプションに関連付けられる他のセクションオプションのリストを含むセクション選択領域と、
ページ選択領域であって、前記現在のセクションオプションに関連付けられる現在のページオプション、および前記現在のセクションオプションに関連付けられる他のページオプションのリストを含むページ選択領域と、
前記現在のファイルオプションの前記現在のセクションオプションの前記現在のページオプションに関連付けられる現在の選択を表示するためのコンテンツ表示領域とを含むアプリケーションユーザインターフェースを表示することと、
前記アプリケーションユーザインターフェースに複数の保護モードを提供することであって、
第１保護モードの選択が受信されると、他のファイルオプションの選択可能リストを隠すこと、他のセクションオプションの選択可能リストを隠すこと、他のページオプションの選択可能リストを隠すこと、前記あらかじめ定義されたメニューツールバーの表示を維持すること、前記ユーザ定義のメニューツールバーの表示を維持すること、前記現在のファイルオプションの表示を維持すること、前記現在のセクションオプションの表示を維持すること、前記現在のページオプションの表示を維持すること、および前記現在の選択の表示を維持することが行われ、
第２保護モードの選択が受信されると、前記選択領域を隠すこと、前記セクション選択領域を隠すこと、前記ページ選択領域を隠すこと、前記あらかじめ定義されたメニューツールバーの表示を維持すること、前記ユーザ定義のツールバーの表示を維持すること、および前記コンテンツ表示領域の表示を拡大することが行われ、
第３保護モードの選択が受信されると、前記あらかじめ定義されたメニューツールバーを隠すこと、前記セクション領域を隠すこと、前記セクション選択領域を隠すこと、前記ページ選択領域を隠すこと、前記ユーザ定義のツールバーの表示を維持すること、および前記コンテンツ表示領域の表示を拡大することが行われる、複数の保護モードを提供することとのために構成される、メモリと、
を備えることを特徴とするシステム。
【請求項１６】
前記現在のファイルオプションおよび他のファイルオプションの前記リストはタブセレクタを含むことを特徴とする請求項１５に記載のシステム。
【請求項１７】
前記現在のセクションオプションおよび他の選択オプションの前記リストはタブセレクタを含むことを特徴とする請求項１５に記載のシステム。
【請求項１８】
前記現在のページオプションおよび他のページオプションの前記リストはタブセレクタを含むことを特徴とする請求項１５に記載のシステム。
【請求項１９】
隠すことは、前記アプリケーションユーザインターフェースから表示データを削除することを含むことを特徴とする請求項１５に記載のシステム。
【請求項２０】
表示を維持することは、前記アプリケーションユーザインターフェース上の表示データのビューを維持することを含むことを特徴とする請求項１５に記載のシステム。